(57)【要約】【課題】二重化による信頼性の高い画像信号伝送と、二重化しない信頼性の低い画像信号伝送とを、状況に応じて適切に使い分けることができる技術を提供する。【解決手段】複数の伝送系統から、複数の同一の画像信号又は複数の異なる画像信号を受信可能な受信手段と、前記受信手段が受信した画像信号に基づく画像を表示する表示手段と、前記表示手段を、１つの画像信号に基づく１つの画像を表示する第１モード、又は、複数の画像信号に基づく複数の画像を表示する第２モードに設定する設定手段と、画像信号に付加された付加情報を取得する取得手段と、前記受信手段が複数の伝送系統から複数の同一の画像信号を受信している場合、前記取得手段が取得した付加情報に基づいて、前記設定手段の制御を行う制御手段と、を備える画像受信装置。【選択図】図７
2018046409.tif 000002
【特許請求の範囲】
【請求項１】
複数の伝送系統から、複数の同一の画像信号又は複数の異なる画像信号を受信可能な受信手段と、
前記受信手段が受信した画像信号に基づく画像を表示する表示手段と、
前記表示手段を、１つの画像信号に基づく１つの画像を表示する第１モード、又は、複数の画像信号に基づく複数の画像を表示する第２モードに設定する設定手段と、
画像信号に付加された付加情報を取得する取得手段と、
前記受信手段が複数の伝送系統から複数の同一の画像信号を受信している場合、前記取得手段が取得した付加情報に基づいて、前記設定手段の制御を行う制御手段と、
を備える画像受信装置。
【請求項２】
前記制御手段は、前記画像信号に付加された付加情報に基づいて、複数の伝送系統を介して複数の同一の画像信号を受信する必要があると判定した場合に、前記設定手段が前記表示手段を前記第１モードに設定することを特徴とする
請求項１に記載の画像受信装置。
【請求項３】
前記制御手段は、前記付加情報が、前記画像信号が録画されていることを示す情報又は前記画像信号がライブ送信されていることを示す情報である場合に、複数の伝送系統を介して複数の同一の画像信号を受信する必要があること示すと判定し、前記付加情報が、前記画像信号が外部記録装置に記録されている画像を再生した画像信号であることを示す情報である場合に、複数の伝送系統を介して複数の同一の画像信号を受信する必要がないと判定する請求項２に記載の画像受信装置。
【請求項４】
複数の伝送系統から複数の同一の画像信号を受信可能な受信手段と、
前記受信手段が受信した画像信号を送信する送信手段と、
画像信号に付加された付加情報を取得する取得手段と、
前記受信手段が複数の伝送系統から複数の同一の画像信号を受信した場合、前記取得手段が取得した付加情報に基づいて、前記送信手段に、複数の伝送系統を介して複数の同一の画像信号を送信させる制御を行う制御手段と、
を備え、
前記制御手段は、前記画像信号に付加された付加情報が、複数の伝送系統を介して複数の同一の画像信号を送信する必要があること示す情報である場合に、前記送信手段に、複数の伝送系統を介して複数の同一の画像信号を送信させる制御を行うことを特徴とする画像伝送装置。
【請求項５】
前記制御手段は、前記画像信号に付加された付加情報が、複数の伝送系統を介して複数の同一の画像信号を送信する必要がないこと示す情報である場合に、前記送信手段に、複数の伝送系統を介して複数の同一の画像信号を送信させる制御を行う請求項４に記載の画像伝送装置。
【請求項６】
前記制御手段は、前記付加情報が、前記画像信号が録画されていることを示す情報又は前記画像信号がライブ送信されていることを示す情報である場合に、複数の伝送系統を介して複数の同一の画像信号を受信する必要があることを示すと判定し、前記付加情報が、前記画像信号が外部記録装置に記録されている画像を再生した画像信号であることを示す情報である場合に、複数の伝送系統を介して複数の同一の画像信号を受信する必要がないと判定する請求項４又は５に記載の画像伝送装置。
【請求項７】
撮像手段と、
前記撮像手段の撮像により得られた画像信号を複数の伝送系統を介して送信可能な送信
手段と、
前記送信手段により送信する画像信号に対する録画処理に関する指示を行う指示手段と、
前記指示手段による指示に基づき、前記送信手段に、複数の伝送系統を介して複数の同一の画像信号を送信させる制御を行う制御手段と、
を備え、
前記制御手段は、前記指示手段により録画を開始する指示が行われた場合に、前記送信手段に、複数の伝送系統を介して複数の同一の画像信号を送信させる制御を行うことを特徴とする撮像装置。
【請求項８】
前記制御手段は、前記指示手段により録画を停止する指示が行われた場合、前記送信手段に、前記画像信号を１つの伝送経路を介して送信させる請求項７に記載の撮像装置。
【請求項９】
前記制御手段は、前記指示手段により録画を開始する指示が行われた場合、前記画像信号に、複数の伝送系統を介して複数の同一の画像信号を送信する必要があることを示す情報を付加し、前記指示手段により録画を停止する指示が行われた場合、前記画像信号に、複数の伝送系統を介して複数の同一の画像信号を送信する必要がないことを示す情報を付加する請求項７又は８に記載の撮像装置。
【請求項１０】
複数の伝送系統を介して複数の同一の画像信号を送信可能な画像送信装置と、
複数の伝送系統から複数の同一の画像信号又は複数の異なる画像信号を受信可能な画像受信装置と、
前記画像送信装置から送信された画像信号の前記画像受信装置への伝送を制御する画像伝送装置と、
を備えるシステムであって、
前記画像送信装置は、
画像信号を複数の伝送系統を介して送信可能な送信手段と、
前記送信手段により送信する画像信号に対する録画処理に関する指示を行う指示手段と、
前記指示手段による指示に基づき、前記送信手段に、複数の伝送系統を介して複数の同一の画像信号を送信させる制御を行う制御手段と、
を備え、前記制御手段は、前記指示手段により録画を開始する指示が行われた場合に、前記送信手段に、複数の伝送系統を介して複数の同一の画像信号を送信させる制御を行い、
前記画像受信装置は、
複数の伝送系統から複数の同一の画像信号又は複数の異なる画像信号を受信可能な受信手段と、
前記受信手段が受信した画像信号に基づく画像を表示する表示手段と、
前記表示手段を、１つの画像信号に基づく１つの画像を表示する第１モード、又は、複数の画像信号に基づく複数の画像を表示する第２モードに設定する設定手段と、
画像信号に付加された付加情報を取得する取得手段と、
前記受信手段が複数の伝送系統から複数の同一の画像信号を受信している場合、前記取得手段が取得した付加情報に基づいて、前記設定手段の制御を行う制御手段と、
を備え、
前記画像伝送装置は、
複数の伝送系統から複数の同一の画像信号を受信可能な受信手段と、
前記受信手段が受信した画像信号を送信する送信手段と、
画像信号に付加された付加情報を取得する取得手段と、
前記受信手段が複数の伝送系統から複数の同一の画像信号を受信した場合、前記取得手段が取得した付加情報に基づいて、前記送信手段に、複数の伝送系統を介して複数の同一の画像信号を送信させる制御を行う制御手段と、
を備え、前記制御手段は、前記画像信号に付加された付加情報が、複数の伝送系統を介して複数の同一の画像信号を送信する必要があることを示す情報である場合に、前記送信手段に、複数の伝送系統を介して複数の同一の画像信号を送信させる制御を行うことを特徴とするシステム。
【請求項１１】
複数の伝送系統から複数の同一の画像信号又は複数の異なる画像信号を受信可能な受信工程と、
前記受信工程で受信した画像信号に基づく画像を表示する表示工程と、
前記表示工程において、１つの画像信号に基づく１つの画像を表示する第１モード、又は、複数の画像信号に基づく複数の画像を表示する第２モードの設定を行う設定工程と、
画像信号に付加された付加情報を取得する取得工程と、
前記受信工程で複数の伝送系統から複数の同一の画像信号を受信している場合、前記取得工程で取得した付加情報に基づいて、前記設定工程の制御を行う制御工程と、
を有する画像受信装置の制御方法。
【請求項１２】
複数の伝送系統から複数の同一の画像信号を受信可能な受信工程と、
前記受信工程で受信した画像信号を送信する送信工程と、
画像信号に付加された付加情報を取得する取得工程と、
前記受信工程で複数の伝送系統から複数の同一の画像信号を受信した場合、前記取得工程で取得した付加情報に基づいて、前記送信工程において、複数の伝送系統を介して複数の同一の画像信号を送信させる制御工程と、
を有し、前記制御工程では、前記画像信号に付加された付加情報が、複数の伝送系統を介して複数の同一の画像信号を送信する必要があることを示す情報である場合に、前記送信工程において、複数の伝送系統を介して複数の同一の画像信号を送信させることを特徴とする画像伝送装置の制御方法。
【請求項１３】
撮像工程と、
前記撮像工程により得られた画像信号を複数の伝送系統を介して送信可能な送信工程と、
前記送信工程により送信する画像信号に対する録画処理に関する指示を行う指示工程と、
前記指示工程による指示に基づき、前記送信工程において、複数の伝送系統を介して複数の同一の画像信号を送信させる制御を行う制御工程と、
を有し、前記制御工程では、前記指示工程により録画を開始する指示が行われた場合に、前記送信工程において、複数の伝送系統を介して複数の同一の画像信号を送信させることを特徴とする撮像装置の制御方法。
【発明の詳細な説明】
【技術分野】
【０００１】
本発明は、画像受信装置、画像伝送装置、撮像装置及びシステムに関するものである。
【背景技術】
【０００２】
近年、画像素子の画素数増大に伴い、従来のフルＨＤ（High Definition）より高解像
度な４Ｋ解像度の画像コンテンツの画像制作需要が増えている。一方で、従来の画像伝送方式であるＳＤＩ（Serial Digital Interface）で４Ｋのインフラを構築しようとすると、ケーブルの配線やルータの規模などが従来のＨＤシステムの４倍以上必要になり、コストやスペース面で課題がある。
そうした課題を解決するために、画像信号をＩＰ（Internet Protocol）に変換し、Ｉ
Ｐネットワークを用いてＬＡＮケーブル経由で伝送する技術（以下ＩＰ伝送）が注目されている。ＩＰ伝送では途中の伝送経路上で通信障害などが発生すると、画像が欠落してしまう恐れがある。このような問題を抑制するために、ＩＰ伝送を用いる場合には伝送経路を二重化してデータの欠落を防ぎ信頼性を高める技術がある。
【０００３】
ＴＶ放送やＣＭなどの画像制作現場において、ＩＰ伝送の信頼性が求められる場合とそうでない場合がある。例えば、伝送している画像信号をライブ放送している場合や録画している場合は、放送画像や保存画像に画像が欠落すると問題になるため、信頼性が求められる。一方、収録本番前に各機器を調整している場合や外部記録装置のコンテンツを再生する場合などの画像信号の伝送には、画像が欠落してもそれほど問題にはならないため信頼性は求められない。そのような場合は伝送経路を二重化する必要はない。
また、画像制作現場においてカメラの設定をする際に、１台のモニタで複数のカメラの画像を確認することが求められる場合がある。そのような場合では、モニタに複数のカメラの出力画像信号を入力し、それらの画像をモニタの画面に同時に表示することで、複数のカメラの画像を確認している。
複数のカメラの画像を１台のモニタで表示する一例の技術として、複数のカメラの出力画像信号が多重化された画像信号を受信し、特定の情報を検知したカメラの画像のみを表示する技術がある（特許文献１参照）。
【先行技術文献】
【特許文献】
【０００４】
【特許文献１】特開２００７−２５７５６８号公報
【発明の概要】
【発明が解決しようとする課題】
【０００５】
本発明の目的は、二重化による信頼性の高い画像信号伝送と、二重化しない信頼性の低い画像信号伝送とを、状況に応じて適切に使い分けることができる技術を提供することである。
【課題を解決するための手段】
【０００６】
本発明は、複数の伝送系統から、複数の同一の画像信号又は複数の異なる画像信号を受信可能な受信手段と、
前記受信手段が受信した画像信号に基づく画像を表示する表示手段と、
前記表示手段を、１つの画像信号に基づく１つの画像を表示する第１モード、又は、複数の画像信号に基づく複数の画像を表示する第２モードに設定する設定手段と、
画像信号に付加された付加情報を取得する取得手段と、
前記受信手段が複数の伝送系統から複数の同一の画像信号を受信している場合、前記取
得手段が取得した付加情報に基づいて、前記設定手段の制御を行う制御手段と、
を備える画像受信装置である。
【０００７】
本発明は、複数の伝送系統から複数の同一の画像信号を受信可能な受信手段と、
前記受信手段が受信した画像信号を送信する送信手段と、
画像信号に付加された付加情報を取得する取得手段と、
前記受信手段が複数の伝送系統から複数の同一の画像信号を受信した場合、前記取得手段が取得した付加情報に基づいて、前記送信手段に、複数の伝送系統を介して複数の同一の画像信号を送信させる制御を行う制御手段と、
を備え、
前記制御手段は、前記画像信号に付加された付加情報が、複数の伝送系統を介して複数の同一の画像信号を送信する必要があること示す情報である場合に、前記送信手段に、複数の伝送系統を介して複数の同一の画像信号を送信させる制御を行うことを特徴とする画像伝送装置である。
【０００８】
本発明は、撮像手段と、
前記撮像手段の撮像により得られた画像信号を複数の伝送系統を介して送信可能な送信手段と、
前記送信手段により送信する画像信号に対する録画処理に関する指示を行う指示手段と、
前記指示手段による指示に基づき、前記送信手段に、複数の伝送系統を介して複数の同一の画像信号を送信させる制御を行う制御手段と、
を備え、
前記制御手段は、前記指示手段により録画を開始する指示が行われた場合に、前記送信手段に、複数の伝送系統を介して複数の同一の画像信号を送信させる制御を行うことを特徴とする撮像装置である。
【０００９】
本発明は、複数の伝送系統を介して複数の同一の画像信号を送信可能な画像送信装置と、
複数の伝送系統から複数の同一の画像信号又は複数の異なる画像信号を受信可能な画像受信装置と、
前記画像送信装置から送信された画像信号の前記画像受信装置への伝送を制御する画像伝送装置と、
を備えるシステムであって、
前記画像送信装置は、
画像信号を複数の伝送系統を介して送信可能な送信手段と、
前記送信手段により送信する画像信号に対する録画処理に関する指示を行う指示手段と、
前記指示手段による指示に基づき、前記送信手段に、複数の伝送系統を介して複数の同一の画像信号を送信させる制御を行う制御手段と、
を備え、前記制御手段は、前記指示手段により録画を開始する指示が行われた場合に、前記送信手段に、複数の伝送系統を介して複数の同一の画像信号を送信させる制御を行い、
前記画像受信装置は、
複数の伝送系統から複数の同一の画像信号又は複数の異なる画像信号を受信可能な受信手段と、
前記受信手段が受信した画像信号に基づく画像を表示する表示手段と、
前記表示手段を、１つの画像信号に基づく１つの画像を表示する第１モード、又は、複数の画像信号に基づく複数の画像を表示する第２モードに設定する設定手段と、
画像信号に付加された付加情報を取得する取得手段と、
前記受信手段が複数の伝送系統から複数の同一の画像信号を受信している場合、前記取
得手段が取得した付加情報に基づいて、前記設定手段の制御を行う制御手段と、
を備え、
前記画像伝送装置は、
複数の伝送系統から複数の同一の画像信号を受信可能な受信手段と、
前記受信手段が受信した画像信号を送信する送信手段と、
画像信号に付加された付加情報を取得する取得手段と、
前記受信手段が複数の伝送系統から複数の同一の画像信号を受信した場合、前記取得手段が取得した付加情報に基づいて、前記送信手段に、複数の伝送系統を介して複数の同一の画像信号を送信させる制御を行う制御手段と、
を備え、前記制御手段は、前記画像信号に付加された付加情報が、複数の伝送系統を介して複数の同一の画像信号を送信する必要があることを示す情報である場合に、前記送信手段に、複数の伝送系統を介して複数の同一の画像信号を送信させる制御を行うことを特徴とするシステムである。
【００１０】
本発明は、複数の伝送系統から複数の同一の画像信号又は複数の異なる画像信号を受信可能な受信工程と、
前記受信工程で受信した画像信号に基づく画像を表示する表示工程と、
前記表示工程において、１つの画像信号に基づく１つの画像を表示する第１モード、又は、複数の画像信号に基づく複数の画像を表示する第２モードの設定を行う設定工程と、
画像信号に付加された付加情報を取得する取得工程と、
前記受信工程で複数の伝送系統から複数の同一の画像信号を受信している場合、前記取得工程で取得した付加情報に基づいて、前記設定工程の制御を行う制御工程と、
を有する画像受信装置の制御方法である。
【００１１】
本発明は、複数の伝送系統から複数の同一の画像信号を受信可能な受信工程と、
前記受信工程で受信した画像信号を送信する送信工程と、
画像信号に付加された付加情報を取得する取得工程と、
前記受信工程で複数の伝送系統から複数の同一の画像信号を受信した場合、前記取得工程で取得した付加情報に基づいて、前記送信工程において、複数の伝送系統を介して複数の同一の画像信号を送信させる制御工程と、
を有し、前記制御工程では、前記画像信号に付加された付加情報が、複数の伝送系統を介して複数の同一の画像信号を送信する必要があることを示す情報である場合に、前記送信工程において、複数の伝送系統を介して複数の同一の画像信号を送信させることを特徴とする画像伝送装置の制御方法である。
【００１２】
本発明は、撮像工程と、
前記撮像工程により得られた画像信号を複数の伝送系統を介して送信可能な送信工程と、
前記送信工程により送信する画像信号に対する録画処理に関する指示を行う指示工程と、
前記指示工程による指示に基づき、前記送信工程において、複数の伝送系統を介して複数の同一の画像信号を送信させる制御を行う制御工程と、
を有し、前記制御工程では、前記指示工程により録画を開始する指示が行われた場合に、前記送信工程において、複数の伝送系統を介して複数の同一の画像信号を送信させることを特徴とする撮像装置の制御方法である。
【発明の効果】
【００１３】
本発明によれば、二重化による信頼性の高い画像信号伝送と、二重化しない信頼性の低い画像信号伝送とを、状況に応じて適切に使い分けることができる。
【図面の簡単な説明】
【００１４】
【図１】実施例１の画像表示システムの構成を示す図
【図２】実施例１の撮像装置の主要な構成を示すブロック図
【図３】実施例１の画像表示装置の主要な構成を示すブロック図
【図４】実施例１のＩＰマネージャの主要な構成を示すブロック図
【図５（Ａ）】実施例１のＩＰスイッチャの主要な構成を示すブロック図
【図５（Ｂ）】実施例１のＩＰスイッチャの主要な構成を示すブロック図
【図６】実施例１のＩＰマネージャの信号出力動作フロー
【図７】実施例１の画像表示装置の動作フロー
【図８】実施例１のＩＰマネージャの経路切り換え動作フロー
【図９】実施例１の受信モードと経路の関係
【図１０】実施例１の画像表示装置の画像表示例
【図１１】実施例２の画像表示システムの構成を示す図
【図１２】実施例２の撮像装置の主要な構成を示すブロック図
【図１３】実施例２の撮像装置の動作フロー
【発明を実施するための形態】
【００１５】
（実施例１）
本発明の実施例１について、図を用いて以下に説明する。
実施例１は、複数の撮像装置と画像表示装置がＩＰネットワークで接続され、各画像信号は二重化して送信可能な画像システムに関する。このシステムにおいて、ＩＰマネージャが撮像装置の出力信号の録画状態に応じて画像表示装置に出力する画像信号を二重化するか否かを判定する。そして、二重化して伝送された同一の画像信号を複数の伝送経路を介して受信しているか否かに応じて、シングル表示モードとマルチ表示モードの切り換えを制御する例である。ここで、画像信号の二重化とは、２つの伝送系統により２つの同一の画像信号を伝送することを意味する。なお、実施例１では多重化の数が２である例を示すが、複数の伝送系統により複数の同一の画像信号を伝送するシステムに本発明は適用できる。シングル表示モードとは、画像表示装置が受信した１つの画像信号に基づく１つの画像を表示する表示モード（第１モード）である。マルチ表示モードとは、複数の画像信号に基づく複数の画像を表示する表示モード（第２モード）である。
【００１６】
図１（Ａ）、図１（Ｂ）は実施例１における画像システムの構成及び各表示モードにおける画像信号の流れを示した図である。図１（Ａ）はモニタ１０３が信頼性の求められる二重化された画像信号を受信しているときの画像信号の流れを示しており、モニタ１０３はカメラ１０１から出力された二重化された画像信号をそのまま受信している。この場合、モニタ１０３は１つの画像信号に基づく画像を表示するシングル表示モードで表示を行う。一方、図１（Ｂ）はモニタ１０３が信頼性の求められない二重化されていない複数の画像信号を受信しているときの画像信号の流れを示しており、モニタ１０３はカメラ１０１から出力された画像信号と、カメラ１０２から出力された画像信号を１つずつ受信している。この場合、モニタ１０３は２つの異なる画像信号に基づく２つの画像を表示するマルチ表示モード、又は、２つの画像信号のうち選択された１つの画像信号に基づく画像を表示するシングル表示モードで表示可能である。
【００１７】
図１（Ａ）、図１（Ｂ）に示す構成の詳細について説明する。
１０１、１０２はカメラである。ＴＶ番組や映画などの画像コンテンツを撮像する。カメラ１０１とカメラ１０２は同じ構成を持つ。
１０３、１０４はモニタである。モニタ１０３、１０４は、受信した画像信号に基づく画像を表示する画像受信装置であり、またネットワークを経由して接続されるＩＰマネージャとの制御通信も行う。モニタ１０３とモニタ１０４は同じ構成を持つ。
１０５はＩＰマネージャである。ＩＰマネージャ１０５は、ＩＰネットワーク上に存在
する各接続機器（実施例１ではカメラ１０１、１０２、モニタ１０３、１０４）から入出力される信号の伝送経路の管理を、ＩＰスイッチャ１０６を制御することで行う画像伝送装置を構成する。ＩＰマネージャ１０５は、例えば、カメラから出力された画像信号を、どのモニタに伝送するかの伝送経路を管理する。
【００１８】
１０６はＩＰスイッチャである。ＩＰスイッチャ１０６は、ＩＰマネージャ１０５と通信を行い、その通信結果に基づいて各信号の伝送経路を切り換える処理を行う画像伝送装置を構成する。
１０７、１０８はＬＡＮケーブルである。カメラ１０１の画像出力として同一の画像信号を二重化して送信するためにＬＡＮケーブルは独立した２つの伝送系統を構成する。同様に１０９と１１０、１１１と１１２、１１３と１１４、１１５と１１６も二重化した画像信号を送信可能に構成されたＬＡＮケーブルである。
１１７はＩＰマネージャ１０５とＩＰスイッチャ１０６を接続するＬＡＮケーブルである。ＩＰマネージャ１０５とＩＰスイッチャ１０６間の制御通信を行うために利用される。ＩＰマネージャ１０５とＩＰスイッチャ１０６は一体構成であっても良いし、それぞれ別体の装置により構成されても良い。
１１８はストレージである。カメラ１０１、１０２から出力された画像信号を保存（録画）する。
【００１９】
カメラ１０１、モニタ１０３、ＩＰマネージャ１０５、ＩＰスイッチャ１０６の詳細について図２、図３を用いて以下に説明する。
図２はカメラ１０１の主要な構成を示すブロック図である。
撮像部２０１は、レンズや画像センサから撮像により得られた画像信号を生成し、後段の信頼性情報付加部２０２に送信する。
【００２０】
信頼性情報付加部２０２は、操作部２０３を介して指示される画像信号に対する録画処理に関する指示に基づき、撮像部２０１から受信した画像信号に信頼性情報を付加し、当該画像信号を二重化してＩＰ通信部２０４、２０５に送信する処理を行う。カメラ１０１が録画中の場合（外部装置に録画する指示が入力された場合）、出力画像信号はストレージ１１８に保存される。カメラ１０１からストレージ１１８への画像信号の伝送制御は、ＩＰマネージャ１０５及びＩＰスイッチャ１０６から構成される画像伝送装置が行う。録画中に画像信号の通信に障害が発生すると、保存データに画像の欠落が発生する可能性がある。したがって、録画中の場合は画像信号の伝送に信頼性が求められる。そのため実施例１では、録画中であるか否かを示す情報を、信頼性情報として扱う。
信頼性情報付加部２０２は、操作部２０３を介してユーザにより録画を開始する指示が行われた場合、画像信号に、複数の伝送系統を介して複数の同一の画像信号を送信する（画像信号の送信時に二重化する）必要があることを示す信頼性情報を付加する。カメラ１０１は、このような信頼性情報を付加した上で、画像信号を二重化して送信させる。一方、信頼性情報付加部２０２は、操作部２０３を介してユーザにより録画を停止する指示が行われた場合、画像信号に、複数の伝送系統を介して複数の同一の画像信号を送信する（画像信号の送信時に二重化する）必要がないことを示す信頼性情報を付加する。カメラ１０１は、このような信頼性情報を付加した上で、画像信号を二重化して送信させる。実施例１では、カメラ１０１からの画像送信は常に二重化されるが、高い信頼性が求められる録画中の条件下では、画像信号に録画中であることを示す情報を付加する。録画停止中の条件では、そのような情報を付加しないが、画像信号は二重化されて送信される。
【００２１】
ＩＰ通信部２０４は、信頼性情報付加部２０２から受信した画像信号を、ＬＡＮケーブル１０７に対して出力する処理を行う。同様にＩＰ通信部２０５も画像信号をＬＡＮケーブル１０８から出力する。これら２系統のＩＰ通信部により、カメラ１０１は、撮像部２０１の撮像により得られた画像信号を二重化して送信可能である。
操作部２０３は、ユーザの操作に応じてカメラ１０１の設定を変更する。操作部２０３を介して、ユーザは、ＩＰ通信部により送信する画像信号に対する送信先の装置における処理の指示を行うことができる。実施例１では、操作部２０３により、ユーザは、録画の開始・停止の指示を入力する操作をすることができる。録画の開始・停止を示す録画情報を信頼性情報付加部２０２に送信する。カメラ１０１は、操作部２０３により入力された指示に基づき、ＩＰ通信部による画像信号の送信の二重化を制御する。
このように、カメラ１０１は、撮像部２０１によって生成され信頼性情報が付加された画像信号を、常に二重化して出力する。なお、カメラ１０１がユーザの操作又は外部からの制御によって二重化しないで出力することを選択可能なように構成しても良い。
【００２２】
図３はモニタ１０３の主要な構成を示すブロック図である。
ＩＰ通信部３０１は、ＬＡＮケーブル１１１を介して画像信号や制御信号の通信を行う。同様にＩＰ通信部３０２もＬＡＮケーブル１１２を介して画像信号や制御信号の通信を行う。モニタ１０３は、これら複数の独立した伝送系統から画像信号を受信可能であり、二重化された画像信号又は複数の異なる画像信号を受信可能である。
【００２３】
操作部３０３は、ディスプレイを操作するボタンである。ユーザは操作部３０３を操作することでＯＳＤ（On Screen Display）メニューを表示・操作しモニタ１０３の設定を
変更することができる。実施例１では、ユーザが表示モードを切り換える操作を行うために使用する。表示モードは、１種類の画像信号に基づく画像を表示するシングル表示モード（第１モード）と、２種類の画像信号に基づく画像を表示するマルチ表示モード（第２モード）とがある。シングル表示モードでは、表示する１種類の画像信号が二重化されていない場合、１つの系統で受信し、に二重化されている場合、２つの系統で同一の画像信号を受信する。マルチ表示モードでは、表示する２種類の画像信号を２つの系統でそれぞれ受信する。高い信頼性が要求される画像信号を受信する場合には、二重化された同一の画像信号を２つの伝送経路で受信し、シングル表示モードで表示が行われる。高い信頼性が要求されない画像信号を受信する場合には、二重化されていない１つの画像信号を１系統の伝送経路で受信しシングル表示モードで表示するか、又は、二重化されていない２つの画像信号を２つの伝送経路でそれぞれ受信しマルチ表示モードで表示する。
【００２４】
判定部３０４は、ＩＰ通信部３０１、３０２が二重化された画像を受信しているか否かに応じて、表示モードの切り換えの実行可否を判定する。二重化された画像信号を受信している場合、信頼性が求められる画像信号を受信しており、判定部３０４は、表示モードをシングル表示モードに設定する。判定部３０４は、マルチ表示モードに設定された状態で二重化された画像信号の受信を検知した場合には、自動的に表示モードをシングル表示モードに設定する。一方、二重化されていない画像信号を受信している場合は、信頼性が求められない画像信号を受信しているため、判定部３０４は、受信モードを自動的にシングル表示モードに設定することはしない。判定部３０４は、表示部３０６がシングル表示モードに設定されていればシングル表示モードの設定を維持し、マルチ表示モードに設定されていればマルチ表示モードの設定を維持する。また、判定部３０４は、シングル表示モードからマルチ表示モードへの切り換え、又は、マルチ表示モードからシングル表示モードへの切り換えが要求されれば、要求通りに表示モードの切り換えを実行する。また、二重化された画像信号を受信しているときに、表示モードをシングル表示モードからマルチ表示モードへ切り換える要求があった場合には、表示モードの切り換えを実行しない。なお、二重化された画像信号を受信しているときに、ユーザの明示的な要求がある場合に限り、マルチ表示モードへの切り換えを許容するようにしても良い。
【００２５】
表示処理部３０５は、画像信号の表示処理を行う。表示処理には、画像信号を拡大・縮小するスケーリング処理や、２つの画像信号に基づく画像を左右や上下や格子状等に並べて表示するように画像を配置するレイアウト処理などの処理を含む。
表示部３０６は、表示処理部３０５から取得した画像信号に基づく画像を表示する。
【００２６】
図４はＩＰマネージャ１０５の主要な構成を示すブロック図である。ＩＰマネージャ１０５は、ＩＰスイッチャ１０６が受信した画像信号が二重化されていた場合、ＩＰスイッチャ１０６に、二重化された画像信号を送信させる処理を行う。また、ＩＰマネージャ１０５は、ＩＰスイッチャ１０６が受信した画像信号が二重化されていなかった場合、ＩＰスイッチャ１０６に、二重化されていない画像信号を送信させる。
ＩＰ通信部４０１は、ＩＰスイッチャ１０６と通信を行う。実施例１では、ＩＰ通信部４０１は、カメラの出力画像信号に付加された付加情報である信頼性情報を取得する。ＩＰ通信部４０１は、各モニタの受信画像の切り換え指示を示す制御信号、ＩＰスイッチャ１０６の画像信号の通信経路を示す通信経路情報の通信を行う。
【００２７】
二重化判定部４０２は、ＩＰ通信部４０１から取得した信頼性情報を基に、ＩＰスイッチャ１０６から出力する画像信号を二重化するか否かを判定する。信頼性情報が、画像伝送に信頼性が求められることを示す情報である場合、二重化判定部４０２は、画像伝送を二重化すると判定する。二重化判定部４０２は、ＩＰスイッチャ１０６が受信した画像信号が二重化されており、かつ、画像信号に付加された付加情報が画像信号の送信時に二重化する必要があること示す情報である場合、ＩＰスイッチャ１０６に、二重化された画像信号を送信させる。一方、信頼性情報が、画像伝送に信頼性が求められないことを示す情報である場合、二重化判定部４０２は、二重化が不要と判定する。二重化判定部４０２は、ＩＰスイッチャ１０６が受信した画像信号が二重化されており、かつ、画像信号の付加情報が画像信号の送信時に二重化する必要がないこと示す情報である場合に、ＩＰスイッチャ１０６に、二重化されていない画像信号を送信させる。
二重化判定部４０２は、付加情報が、画像信号が録画されていることを示す情報又は画像信号がライブ送信されていることを示す情報である場合に、付加情報は画像信号の送信時に二重化する必要があること示す情報であると判定しても良い。また、二重化判定部４０２は、付加情報が、画像信号が外部記録装置に記録されている画像を再生した画像信号であることを示す情報である場合に、付加情報は画像信号の送信時に二重化する必要がないこと示す情報であると判定しても良い。
【００２８】
経路制御部４０３は、二重化判定部４０２の判定結果に基づいて決定したＩＰスイッチャ１０６の通信経路を示す通信経路情報を、ＩＰ通信部４０１を介してＩＰスイッチャ１０６に送信する制御を行う。また、経路制御部４０３は、各モニタの受信画像の切り換え指示を示す制御信号をＩＰ通信部４０１が通信した際にも、ＩＰ通信部４０１を介してＩＰスイッチャ１０６に通信経路情報を送信する制御を行う。モニタの受信画像の切り換え指示は、例えば、１画面に１つの画像信号に基づく１つの画像を表示するシングル表示モードと、１画面に複数の画像信号に基づく複数の画像を表示するマルチ表示モードとの切り換えの指示である。
【００２９】
図５（Ａ）、図５（Ｂ）はＩＰスイッチャ１０６の主要な構成及びモニタ１０３の受信モードが単一受信モードで動作している場合（Ａ）と、複数受信モードで動作している場合（Ｂ）の画像信号の流れを示すブロック図である。
ＩＰ通信部５０１は、ＬＡＮケーブル１０７で接続されたカメラ１０１の画像信号の通信を行い、受信画像信号をＩＰ信号制御部５１２に送信する。
ＩＰ通信部５０２は、ＬＡＮケーブル１０８で接続されたカメラ１０１の画像信号の通信を行い、受信画像信号をＩＰ信号制御部５１２に送信する。
ＩＰ通信部５０３は、ＬＡＮケーブル１０９で接続されたカメラ１０２の画像信号の通信を行い、受信画像信号をＩＰ信号制御部５１２に送信する。
ＩＰ通信部５０４は、ＬＡＮケーブル１１０で接続されたカメラ１０２の画像信号の通信を行い、受信画像信号をＩＰ信号制御部５１２に送信する。
ＩＰスイッチャ１０６は、ＩＰ通信部５０１，５０２により、カメラ１０１から送信される二重化された画像信号を受信可能である。
【００３０】
ＩＰ通信部５０５は、ＬＡＮケーブル１１１で接続されたモニタ１０３にＩＰ信号制御部５１２から受信した画像信号の送信を行う。またモニタ１０３から受信した受信画像の切り換え指示を示す制御信号をＩＰ信号制御部５１２に送信する。
ＩＰ通信部５０６は、ＬＡＮケーブル１１２で接続されたモニタ１０３にＩＰ信号制御部５１２から受信した画像信号の送信を行う。またモニタ１０３から受信した受信画像の切り換え指示を示す制御信号をＩＰ信号制御部５１２に送信する。
ＩＰ通信部５０７は、ＬＡＮケーブル１１３で接続されたモニタ１０４にＩＰ信号制御部５１２から受信した画像信号の送信を行う。またモニタ１０４から受信した受信画像の切り換え指示を示す制御信号をＩＰ信号制御部５１２に送信する。
ＩＰ通信部５０８は、ＬＡＮケーブル１１４で接続されたモニタ１０４にＩＰ信号制御部５１２から受信した画像信号の送信を行う。またモニタ１０４から受信した受信画像の切り換え指示を示す制御信号をＩＰ信号制御部５１２に送信する。
ＩＰスイッチャ１０６は、ＩＰ通信部５０５，５０６により、カメラ１０１から受信した画像信号をモニタ１０３に送信することができる。
【００３１】
ＩＰ通信部５０９は、ＬＡＮケーブル１１５で接続されたストレージ１１８にＩＰ信号制御部５１２から受信した画像信号の送信を行う。
ＩＰ通信部５１０は、ＬＡＮケーブル１１６で接続されたストレージ１１８にＩＰ信号制御部５１２から受信した画像信号の送信を行う。
【００３２】
ＩＰ通信部５１１は、ＬＡＮケーブル１１７で接続されたＩＰマネージャ１０５と制御信号の通信を行う。
ＩＰ信号制御部５１２は、ＩＰ通信部５１１を介してＩＰマネージャ１０５と通信を行い、各モニタとストレージ１１８にどの画像信号を送信するかを示す通信経路情報を取得する。これを基に、ＩＰ通信部５０１〜５０４から受信した各画像信号を、ＩＰ通信部５０５〜５１０のいずれかにそれぞれ送信する制御を行う。また、各モニタの受信画像の切り換え指示を示す制御信号の通信もＩＰマネージャ１０５と行う。
【００３３】
図５（Ａ）、図５（Ｂ）に示すＩＰスイッチャ１０６の画像信号の流れについて説明する。
図５（Ａ）はモニタ１０３、１０４が高い信頼性が求められる場合のシングル表示モードにおいて二重化された画像信号を受信し、ストレージ１１８にカメラ１０１の出力画像信号を保存している場合の画像信号の流れを示す。ＩＰ信号制御部５１２はＩＰ通信部５０１で受信した画像信号をＩＰ通信部５０５とＩＰ通信部５０９に送信するように制御している。同様に、ＩＰ信号部５０２で受信した画像信号をＩＰ通信部５０６とＩＰ通信部５１０に、ＩＰ信号部５０３で受信した画像信号をＩＰ通信部５０７に、ＩＰ信号部５０４で受信した画像信号をＩＰ通信部５０８にそれぞれ送信する制御をしている。
【００３４】
一方、図５（Ｂ）は図５（Ａ）の状態からカメラ１０１の出力画像信号をストレージ１１８に保存することを停止し、高い信頼性が求められないマルチ表示モードにモニタ１０３が切り換わった場合の画像信号の流れの例を示す。ＩＰ信号制御部５１２はＩＰ通信部５０２で受信した画像信号をどこにも送信せず、ＩＰ通信部５０３から受信した画像信号をＩＰ通信部５０６と５０７に送信する制御をしている。また、ストレージ１１８と接続するＩＰ通信部５０９、５１０には画像信号を送信しない制御をしている。
【００３５】
図６はＩＰマネージャ１０５がＩＰスイッチャ１０６から取得した信頼性情報に基づいて、画像信号を二重化して出力するか否かを判定し、ＩＰスイッチャ１０６の通信経路を
制御する動作フローである。
図６のＳ６０１において、ＩＰマネージャ１０５はＩＰ通信部４０１を介してＩＰスイッチャ１０６から画像信号の信頼性情報を取得する。実施例１では信頼性情報として、カメラの出力画像信号に付加された録画情報を取得する。
【００３６】
Ｓ６０２において、二重化判定部４０２は録画情報が録画開始であるか否かの判定を行う。録画情報が録画開始の場合は、信頼性が求められるため画像信号を二重化して出力する必要があると判断し、Ｓ６０３の処理に進む。録画停止の場合は、信頼性が求められないため二重化して出力する必要がないと判断し、Ｓ６０４の処理に進む。
【００３７】
Ｓ６０３において、経路制御部４０３はＳ６０２の二重化して出力する必要があるという判定結果を基に、ＩＰスイッチャ１０６からモニタに対して出力する画像信号が二重化される通信経路情報を作成し、ＩＰ通信部４０１に送信する。
【００３８】
Ｓ６０４において、経路制御部４０３はＳ６０２の二重化して出力する必要がないという判定結果を基に、ＩＰスイッチャ１０６からモニタに対して出力する画像信号が１つの伝送系統で伝送される通信経路情報を作成し、ＩＰ通信部４０１に送信する。
【００３９】
Ｓ６０５において、ＩＰ通信部４０１は経路制御部４０３から取得した通信経路情報をＩＰスイッチャ１０６に送信し、ＩＰスイッチャ１０６の通信経路を制御する。
【００４０】
図７はユーザのモニタ１０３に対するマルチ表示モードへの切り換え指示を検出し、二重化された同一の画像信号を受信しているか否かに応じて、マルチ表示モードへの切り換えを制御するモニタ１０３の動作を示す。この処理は、主に判定部３０４が実行する。
Ｓ７０１において、モニタ１０３は操作部３０３にユーザによる操作によってシングル表示モードからマルチ表示モードへの切り換え指示があるか判定する。切り換え指示がある場合、操作部３０３は判定部３０４に判定指示を出し、Ｓ７０２の処理に進む。切り換え指示がない場合は、フローを終了する。
【００４１】
Ｓ７０２において、判定部３０４は二重化された画像信号を受信しているか否かの判定を行う。判定部３０４はＩＰ通信部３０１、３０２から、受信している画像信号が二重化されているか否かの情報を取得する。画像信号が二重化されていない場合は、Ｓ７０３の処理に進む。画像信号が二重化されている場合はフローを終了する。判定部３０４は、２つの伝送系統（ＩＰ通信部）で同一の画像信号を受信している場合に、二重化された画像信号を受信していると判定する。
【００４２】
なお、判定部３０４は、画像信号に付加された付加情報を取得し、画像信号に付加された付加情報が、画像信号が二重化されていることを示す情報である場合に、二重化された画像信号を受信していると判定しても良い。例えば、判定部３０４は、付加情報が、画像信号が録画されていることを示す情報又は画像信号がライブ送信されていることを示す情報である場合に、二重化された画像信号を受信していると判定しても良い。また、判定部３０４は、付加情報が、画像信号が外部記録装置に記録されている画像を再生した画像信号であることを示す情報である場合に、二重化された画像信号を受信していないと判定しても良い。
【００４３】
Ｓ７０３において、判定部３０４はＩＰ通信部３０１に対して、表示モードをシングル表示モードからマルチ表示モードへ切り換える指示を出す。ＩＰ通信部３０１は、ＩＰ通信部３０２と異なる画像信号を受信可能に設定される。
【００４４】
Ｓ７０４において、ＩＰ通信部３０１はＩＰマネージャ１０５に対して、複数の画像信
号を送信するように送信画像の切り換えを要求する制御通信を行う。実施例１では、ＩＰスイッチャ１０６からモニタ１０３に、ＬＡＮケーブル１１１は切り換え前と同様にカメラ１０１の画像信号を、ＬＡＮケーブル１１２はカメラ１０２の画像信号を送信するように、制御通信を行う。
【００４５】
Ｓ７０５において、ＩＰ通信部３０１はＬＡＮケーブル１１１からカメラ１０１の画像信号を、ＩＰ通信部３０２はＬＡＮケーブル１１２からカメラ１０２の画像信号を受信する。表示処理部３０５は前記２つの画像信号に対して、画像の拡大・縮小を行うスケーリング処理や、表示部３０６への画像の配置を行うレイアウト処理などを行う。実施例１では図１０（Ｂ）に示すように、受信した２つの画像Ａ（カメラ１０１の画像）と画像Ｂ（カメラ１０２の画像）の左右に並べて表示するように、スケーリング処理とレイアウト処理を行う。
なお、ここではマルチ表示モードへの切り換え要求が検出された場合に、受信中の画像信号が二重化されていなければ要求通りにマルチ表示モードへの切り換えを実行する制御する例を示したが、次のような制御も可能である。例えば、モニタ１０３がマルチ表示モードに設定されており、２つの異なる画像信号の画像を表示しているときに、二重化された画像信号を受信した場合、自動的にシングル表示モードに切り換える制御を行っても良い。このような制御を行うことで、ユーザは、高信頼性が求められない画像信号を２画面表示しているときに、高信頼性が求められる画像信号の受信が開始された場合、表示モードの切り換えを意識しなくても自動的にシングル表示モード切り換えられる。よって、利便性・信頼性が向上する。
【００４６】
図８は、図７のＳ７０４においてモニタ１０３から制御信号を受信した際にＩＰマネージャ１０５が、ＩＰスイッチャ１０６を制御する動作を示すフローである。
Ｓ８０１において、ＩＰマネージャ１０５はモニタ１０３から複数の画像信号を送信する要求が来ている場合、Ｓ８０２の処理に進む。来ていない場合はフローを終了する。
【００４７】
Ｓ８０２において、ＩＰマネージャ１０５はＩＰスイッチャ１０６を制御して、モニタ１０３への画像伝送を、１つの画像信号を１系統で送信している状態から、異なる複数の画像信号を複数系統でそれぞれ送信するように切り換える。
【００４８】
実施例１では、図９に示すように、表示モード切り換え前のシングル表示モードのとき、ＩＰマネージャ１０５はモニタ１０３に対してＬＡＮケーブル１１１にカメラ１０１の画像信号を送信するようにＩＰスイッチャ１０６を制御する。また、ＬＡＮケーブル１１２には画像信号を送信しないようにＩＰスイッチャ１０６を制御する。これにより、高い信頼性の求められない画像信号が二重化しないで伝送される。表示モードをマルチ表示モードに切り換え後は、ＩＰマネージャ１０５はモニタ１０３に対してＬＡＮケーブル１１１はカメラ１０１の画像信号、ＬＡＮケーブル１１２はカメラ１０２の画像信号を送信するようにＩＰスイッチャ１０６を制御する。なお、シングル表示モードで二重化された画像信号を受信して表示することも可能である。その場合には、ＬＡＮケーブル１１１及び１１２の両方においてカメラ１０１の画像信号を送信するようＩＰマネージャ１０５はＩＰスイッチャ１０６を制御する。図５（Ａ）の状態ではＬＡＮケーブル１１２にはカメラ１０１からＬＡＮケーブル１０８を介して受信したカメラ１０１の画像信号が送信されており、二重化された画像信号の伝送が行われている。
【００４９】
実施例１では、ＩＰマネージャが信頼性の判断と画像信号通信経路の切り換えを制御しているが、ＩＰスイッチャやモニタの内部に、説明した制御機能を構成しても良い。例えばモニタにおいてユーザからシングル表示モードからマルチ表示モードへの切り換え要求が入力された場合、モニタは当該要求をＩＰスイッチャへ送信し、ＩＰマネージャは当該要求元のモニタへ伝送される画像信号が二重化されているか否か判定する。画像信号が二
重化されていた場合は、モニタからの切り換え要求を実行せず、画像信号が二重化されていなかった場合は、モニタからの切り換え要求に従ってマルチ表示モードへ切り換える。
また、実施例１ではカメラが信頼性情報を付加する例を示しているが、それ以外の接続機器が信頼性情報を付加し、その情報に応じてモニタが受信モードを切り換えても良い。例えば、ＩＰネットワークで接続された外部記録装置の画像をモニタで表示している場合において、外部記録装置に保存された画像を出力しているか否かを、外部記録装置が信頼性情報として出力信号に付加しても良い。また、ＩＰマネージャが該モニタに出力している画像信号に、ライブ送信中であるか否かを、信頼性情報として付加しても良い。
【００５０】
以上述べた通り、実施例１は、複数の撮像装置と画像表示装置がＩＰネットワークで接続された画像システムに関する。このシステムにおいて、ＩＰマネージャが画像信号の録画状態に応じて画像表示装置に出力する画像信号を二重化するか否かを判定する。そして、ユーザが画像表示装置に対して受信モードの切り換えを指示した際に、受信画像信号が二重化されているか否かに応じて画像の受信モードの切り換えを実行する。
【００５１】
これにより、例えば、同じスタジオ内において撮像を行っている複数のカメラと、各カメラの画像をそれぞれ確認する複数のモニタがＩＰネットワークで接続された画像システムを想定する。このシステムにおいて、ライブ放送中や録画中など信頼性が求められる画像信号を受信する場合は、二重化された画像信号を受信することで信頼性を確保できる。一方、信頼性が求められない画像信号を受信しているときは、別のカメラの画像を含む複数の画像信号の画像をモニタで同時に表示することができ、例えばユーザは別のカメラと自カメラの画像を同時に確認することができ利便性が向上する。追加のモニタなど別途機材を必要としない。
【００５２】
（実施例２）
本発明の実施例２について、図を用いて以下に説明する。なお、実施例２の説明において、上述した実施例１と共通する部分については、適宜、説明を省略する。
実施例１ではＩＰマネージャが撮像装置の録画状態に応じて画像表示装置に出力する画像信号を二重化するか否かを判定していた。これに対し、実施例２では撮像装置が録画状態に応じて出力する画像信号を二重化するか否かを判定し、二重化しない出力か二重化した出力かを切り換える例を示す。
【００５３】
実施例２の画像システムの構成を図１１に示す。
実施例２のカメラ１１０１の詳細について図１２を用いて以下に説明する。なお、モニタ１０３、ＩＰマネージャ１０５、ＩＰスイッチャ１０６は構成が実施例１と同様であるため説明を省略する。
【００５４】
図１２はカメラ１１０１の主要な構成を示すブロック図である。
二重化判定部２０６は、ユーザが操作部２０３を操作して設定した録画の開始・停止の情報を基に、出力画像信号を二重化するか否かの判定を行う。
ＩＰ通信部２０４は、撮像部２０１から受信した画像信号を、ＬＡＮケーブル１０７から出力する処理を行う。同様にＩＰ通信部２０５は画像信号をＬＡＮケーブル１０８から出力する処理を行う。
【００５５】
図１３はカメラ１１０１が録画の開始・停止の状態に応じて画像信号を二重化して出力するか否かを判定し、画像信号を出力する動作フローである。
図１３のＳ１３０１において、カメラ１１０１は録画が開始されているか否かを判定する。二重化判定部２０６は操作部２０３からユーザによって操作・設定された録画情報を取得する。録画情報が録画開始の場合、すなわち操作部２０３を介してユーザにより録画を開始する指示が行われた場合、二重化判定部２０６は、信頼性が求められるため画像信
号を二重化して出力する必要があると判断し、Ｓ１３０２の処理に進む。録画停止の場合、すなわち操作部２０３を介してユーザにより録画を停止する指示が行われた場合、二重化判定部２０６は、信頼性が求められないため二重化して出力する必要がないと判断し、Ｓ１３０３の処理に進む。
【００５６】
Ｓ１３０２において、カメラ１１０１は撮像部２０１から取得した画像信号を二重化して送信させる。ＩＰ通信部２０４はＬＡＮケーブル１０７に、ＩＰ通信部２０５はＬＡＮケーブル１０８にそれぞれ画像信号を出力することで二重化する。
【００５７】
Ｓ１３０３において、カメラ１１０１は撮像部２０１から取得した画像信号を１系統だけ、すなわち二重化しないで送信させる。ＩＰ通信部２０４は撮像部２０１から取得した画像信号をＬＡＮケーブル１０７に出力する。ＩＰ通信部２０５は、画像信号を出力しない。なお、画像信号を二重化しないで送信する場合、２つあるＩＰ通信部のどちらを用いて画像信号の送信を行っても良い。
実施例２におけるモニタ１０３とＩＰマネージャ１０５の動作については、実施例１で記載した図７と図８のフローの動作と同様であるため、説明を省略する。
【００５８】
以上述べた通り、実施例２では、複数の撮像装置と画像表示装置がＩＰネットワークで接続された画像システムにおいて、撮像装置が録画状態に応じて出力する画像信号を二重化する必要があるか否かを判定し、二重化した画像信号を出力するか否かを切り換える。そして、ユーザが画像表示装置に対して表示モードの切り換えを指示した際に、受信画像信号が二重化されているか否かに応じて画像の表示モードの切り換えを制御することができる。
これにより、ユーザが１台のモニタで複数のカメラの画像を確認することができるだけでなく、伝送に信頼性が求められないときはカメラの出力画像信号の伝送経路の帯域を削減することができる。
上記各実施例において、画像受信装置の例としてモニタを説明したが、画像受信装置はモニタに限らない。例えば、次の構成を有する画像受信装置に本発明は適用できる。画像受信装置は、複数の伝送系統から複数の同一の画像信号又は複数の異なる画像信号を受信可能な受信手段を有する。画像受信装置はさらに、１つの画像信号に基づく１つの画像に対し画像処理を行う第１モード、又は、複数の画像信号に基づく複数の画像に対し画像処理を行う第２モードに設定する設定手段を有する。画像受信装置はさらに、画像信号に付加された付加情報を取得する取得手段を備え、受信手段が複数の伝送系統から複数の同一の画像信号を受信している場合、取得手段が取得した付加情報に基づいて、設定手段の設定の制御を行う制御手段を備える。この画像受信装置によれば、付加情報に基づいて、複数の伝送系統を介して複数の同一の画像信号を受信する必要があると判定される場合に、設定手段が画像受信装置を第１モードに設定することができる。また、付加情報に基づいて、複数の伝送系統を介して複数の同一の画像信号を受信する必要がないと判定される場合に、設定手段が画像受信装置を第１モード又は第２モードに設定することができる。特に複数の伝送系統から複数の異なる画像信号を受信している場合には、第２モードに設定することにより異なる複数の画像に対し画像処理を並行して又は同時に行うことが可能となる。また、二重化による高信頼性伝送が必要とされる条件として上記各実施例で挙げた例（録画、ライブ送信等）は一例であって、これに限らない。
【００５９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６０】
１０１、１０２：カメラ、１０３、１０４：モニタ、１０５：ＩＰマネージャ、１０６：ＩＰスイッチャ、２０６：二重化判定部、３０４：切り換え許可判定部、３０５：表示処理部、３０６：表示部、４０２：二重化判定部、４０３：経路制御部
【図１】
2018046409.tif 000003
【図２】
2018046409.tif 000004
【図３】
2018046409.tif 000005
【図４】
2018046409.tif 000006
【図５（Ａ）】
2018046409.tif 000007
【図５（Ｂ）】
2018046409.tif 000008
【図６】
2018046409.tif 000009
【図７】
2018046409.tif 000010
【図８】
2018046409.tif 000011
【図９】
2018046409.tif 000012
【図１０】
2018046409.tif 000013
【図１１】
2018046409.tif 000014
【図１２】
2018046409.tif 000015
【図１３】
2018046409.tif 000016